(57)【特許請求の範囲】
【請求項１】
一半を間隔のあいた二枚板（１ａ，１ｂ）形とした長尺の板材（１）を形成し、該板材（１）の二枚板（１ａ，１ｂ）の部分の全長に間隔を置いて長手方向に回転するローラー（３）を外周が二枚板（１ａ，１ｂ）の外側に突出するように取付け、該ローラー（３）の全部または一部のローラー（３）間に流下物の戻り落ちを防止するストッパー（４）を取付けて該板材（１）の複数を並列し、各板材（１）の下半部に通しボルト（５ａ）を貫通し、且つ板材（１）間の通しボルト（５ａ）に、長さの違うものに交換可能な、各板材間の間隔を維持するスペーサー（６）を被嵌してナット（５ｂ）にて組立てることにより、雨水水路と同幅で且つ板材１間の間隔を広狭に変更可能とするヤナ式スクリーンを組立てて雨水水路に設置するようにしたことを特徴とする雨水の排水ポンプ機場におけるヤナ式スクリーン装置。
【発明の詳細な説明】
【０００１】
【発明が属する技術分野】
本発明は雨水の排水ポンプ機場におけるヤナ式スクリーン装置、詳しくは雨水とともに流れ込む石，流木のほか机，椅子，畳，ソファやテーブルなど粗大ゴミのような流下物を堰き止め排除してポンプ施設を保護するためのスクリーン装置に関するものである。
【０００２】
【従来の技術】
従来のこの種のスクリーンは、雨水水路のポンプ施設の上流側に７５度程度に傾斜したスクリーンを設置し、スクリーンの目から雨水とポンプの作動に支障のない小さな流下物のみを通過させて大きな流下物を堰き止めるようにしてポンプを保護するようにしている。スクリーンに堰き止められた流下物は人力により鳶口などで掻き寄せて水路外に引き上げ排除するようにしている。
【０００３】
【発明が解決しようとする課題】
しかしながら、水流圧に押されてスクリーンに張り付いている流下物を鳶口などで引き寄せるには相当な力を必要として作業者の体力を激しく消耗し、さらに大雨によって大量の流下物が流れ込んで複雑に絡み合う状況にあってはひとつの流下物を引き上げるにも非常に困難な作業を要するという課題がある。またこのように困難で不安定な状況における作業により誤って落水したときは人体がスクリーンに強く張り付いて身動きとれない状態となるので命に係る危険が伴うという課題がある。
【０００４】
【課題を解決するための手段】
本発明は一半を間隔のあいた二枚板１ａ，１ｂ形とした長尺の板材１を形成し、該板材１の二枚板１ａ，１ｂの部分の全長に間隔を置いて長手方向に回転するローラー３を外周が二枚板１ａ，１ｂの外側に突出するように取付け、該ローラー３の全部または一部のローラー３間に流下物の戻り落ちを防止するストッパー４を取付けて該板材１の複数を並列し、各板材１の下半部に通しボルト５ａを貫通し、且つ板材１間の通しボルト５ａに、長さの違うものに交換可能な、各板材間の間隔を維持するスペーサー６を被嵌してナット５ｂにて組立てることにより、雨水水路と同幅で且つ板材１間の間隔を広狭に変更可能とするヤナ式スクリーンを組立てて雨水水路に設置するようにして、該スクリーンに堰き止められた流下物を引上げる際に前記ローラー上を走行して軽く引上げられるようにするとともに、その際前記ストッパーにて流下物の戻り落ちを防止して作業の安定を図り、以って作業者の危険を防止するようにして、かかる課題を解決するようにしたのである。
【０００５】
【発明の実施の形態】
耐錆性の高い金属材料などにて一半を間隔のあいた二枚板１ａ，１ｂ形とする長尺の板材１を多数形成し、板材１の全長に亘る二枚板１ａ，１ｂ間に２００ｍｍ程度の間隔を置いて長手方向に回転するローラー３を多数取付ける。ローラー３の外周は外側に突出させている。なおローラー３は軸受部分に油含浸メタルを採用し、軸受部分にＯリング３ａを設けて、回転をスムーズにするとともに水中の砂などが軸受内部に侵入しない構造のものを用いる。
【０００６】
４は全部または一部のローラー３間に設けたストッパーで、ストッパー４の突出部分は一側を緩斜面４ａとする鋭角状にて形成しており、図４乃至図５に示すように常態では取付軸を支点とした重量のバランスによってローラー３間に突出した状態にあり、緩斜面４ａ側から力が加わると回動して二枚板１ａ，１ｂ間に没するようになっている。このように形成した板材１を２００ｍｍ程度の一定の間隔を置いて多数並列し、各板材１の下半部を貫通する多数の通しボルト５ａとナット５ｂにより簀状に組立ててヤナ式スクリーン装置を形成するのである。なお６は通しボルト５ａに被嵌して各板材１間の間隔を維持するための筒状のスペーサーであり、スペーサー６を長さの違うものに交換することによって板材１間の間隔を広狭に変更することができる。
【０００７】
以上のように形成したヤナ式スクリーン装置７は図１に示すように、市街の降水雨を集めて流れる下水路が接続する雨水水路（開水路）のポンプ機場の上流位置に、ローラー３群を上側且つストッパー４の緩斜面４ａが上流側となる向きにて一端を川底に着け他端を雨水水路上を横断するようにして設けた作業台８に掛かるようにして下流上がりの緩やかな傾斜をもって設置するのである。作業台８に立て掛けた部分は作業台８に設けた舫（もや・図示してない）などに緊縛して安定取付けする。９は作業台８上に設けた搬出ローラー台である。
【０００８】
なおヤナ式スクリーン装置７の幅は設置する雨水水路幅と同幅となるようにして形成し、板材１の長さは雨水水路の深さに対応して、設置時に水底から作業台８上に至る傾斜が１５度から２０度程度の緩やかな傾斜を構成する長さとなるように設計して形成する。板材１は短尺物を複数本を継いで必要な長さを得るようにすることもある。また上面のローラー３の取付位置を半間隔にてずらして設けたもう１種の板材を形成して２種の板材を交互に並列するようにしてもよい。
【０００９】
今、雨水とともに大きな流下物ａが雨水水路を流れて来ると、雨水はヤナ式スクリーン装置７の板材１間を通り抜け、流下物ａは流れの慣性によって緩やかな傾斜のスクリーン７上に乗り上げるようにして堰き止められる。その際ストッパー４は緩斜面側４ａに力が加わることによって２枚板１ａ，１ｂ間に没するので流下物ａのスクリーン装置７上への乗り上げを妨げない。作業者ｂが鳶口ｃなどを用いて流下物ａを引き上げるときは、上面の回転するローラー３群上を走行するので、スクリーン装置７の緩やかな傾斜と相俟って重い流下物ａでもごく軽い力で無理なく引き上げることができることとなる。引き上げた流下物ａは作業台８上に設けた搬出ローラー台９に載せて雨水水路の外に運び去り処理するのである。
【００１０】
なお作業者ｂがバランスを失ったり下流物ａが鳶口ｃから外れて戻り落ちようとする際は、流下物ａは図５（ｃ）に示すように途中の常態で突出したストッパー４端に当接して止まるので、それ以上の戻り落ちが防止されて作業者ｂの安全を守ることができる。
【００１１】
またヤナ式スクリーン装置７の上部のローラー群にかえて図６に示すような全方向に回転するベアリングローラー１０群を取付けるときは、作業台８上で都合により位置をかえながら作業する作業者ｂが鳶口ｃなどでどの方向に引っ張っても流下物ａは全方向回転のベアリングローラー１０上を転がるので抵抗なく引き寄せることができ、また作業がやりやすいように流下物ａの曲がりを調整したりすることができるので作業性を向上することができることとなる。
【００１２】
【発明の効果】
以上のようにして、本発明のヤナ式スクリーン装置は緩やかな下流上がりの傾斜をもって雨水水路に設置するようにしたので、雨水とともに流れ込む流下物はスクリーン上に乗り上げるようにして堰き止められ、排除のための引き上げ作業も緩やかな斜面上を移動することによって容易に行なうことができるという効果を生ずる。
【００１３】
スクリーンの上面にローラーを設けたときは、流下物の引き上げ作業をさらに軽く無理なく安全裡に行なうことができるという効果を生ずる。
【００１４】
上部のローラー群を全方向性のベアリングローラーとするときは、引き上げた流下物をどの方向にも容易に引き寄せることができるので作業性を向上することができるという効果を生ずる。
【００１５】
ローラー間に流下物の乗り上げを支障せず且つ戻り落ちを防止するようにして出没するストッパーを設けたので、作業の安定を図り、作業者が戻り落下する流下物に引きづられるなどの危険を防止することができるという効果を生ずる。
【００１６】
作業台上に搬出ローラー台を設けたので、引き上げた流下物の水路外への搬出を容易に行なうことができるという効果を生ずる。
【図面の簡単な説明】
【図１】本発明のヤナ式スクリーン装置の設置場所の一例を示す平面図
【図２】（ａ）は同、ヤナ式スクリーン装置の設置状態を示す平面図、（ｂ）は同、縦断側面図
【図３】ローラー部分の拡大正面断面図
【図４】ローラーとストッパーを示す部分拡大縦断側面図
【図５】（ａ）乃至（ｃ）はストッパーの出没の状態を示す説明図
【図６】ベアリングローラーの一例を示す断面図
【図１】
0003563049.tif 000002
【図２】
0003563049.tif 000003
【図３】
0003563049.tif 000004
【図４】
0003563049.tif 000005
【図５】
0003563049.tif 000006
【図６】
0003563049.tif 000007